(57)【要約】【課題】  高温水に浸漬して茶葉の成分を抽出したティーパックを、やけどすることなく、又、指を濡らすことなく、指で容易に成分を含む水分を搾り出せると共に、水切りができるようにする。【解決手段】  茶葉２を装填するため濾紙で上端開放の袋状に形成されたティーパック本体３であって、該ティーパック本体３内に茶葉２を装填し、該ティーパック本体３の上端開口部を閉じ、該ティーパック本体３の底部から上端に及んで紐４を貫通させると共に、該紐４の下端部を該ティーパック本体３の下端部に係止し、該紐４の上端部を、指で把持自在に形成された把持片７の略中央部を貫通させ、該紐４の上端に該把持片７の抜け留め８を設けたティーパック１を提供する。【選択図】  図１
2005206256.tif 000002
【特許請求の範囲】
【請求項１】
茶葉を装填するため濾紙で上端開放の袋状に形成されたティーパック本体であって、該ティーパック本体内に茶葉を装填し、該ティーパック本体の上端開口部を閉じ、該ティーパック本体の底部から上端に及んで紐を貫通させると共に、該紐の下端部を該ティーパック本体の下端部に係止し、該紐の上端部を、指で把持自在に形成された把持片の略中央部を貫通させ、該紐の上端に該把持片の抜け留めを設けたことを特徴とするティーパック。
【請求項２】
上記ティーパック本体の底部は、複数枚の濾紙又は厚紙によって補強されていることを特徴とする請求項１記載のティーパック。
【請求項３】
上記紐の下端部は、上記ティーパック本体の底部の略全長に及んで延びる棒状体の略中央部に結着されて上記ティーパックの底部に係止されることを特徴とする請求項１又は２記載のティーパック。
【請求項４】
上記把持片は、上記ティーパック本体の前後面全面を略被包自在の大きさに形成されることを特徴とする請求項１，２又は３記載のティーパック。
【請求項５】
上記把持片は、紙、プラスチック、発泡プラスチック、布、又は、断熱性材料で形成され、更に／又は、遮水処理、又は、遮水性のプラスチックコーティングが施されていることを特徴とする請求項１，２，３又は４記載のティーパック。
【請求項６】
上記把持片に、該把持片の中心部を折曲して二つ折りにするための折曲線が予め形成されていることを特徴とする請求項１，２，３，４又は５記載のティーパック。
【請求項７】
請求項１，２，３，４，５又は６記載のティーパックの上記把持片を把持して上記紐に吊下された上記ティーパック本体を高温水内に浸漬し、茶葉の成分を抽出した後、該ティーパック本体を高温水から引き上げ、該紐の上端部を把持し、該把持片を下降させ、該把持片を介して指で該ティーパック本体を下方に押圧し、更に／又は、該把持片を介して指で該ティーパック本体の前後面を挟圧して該ティーパック本体の水分及び成分を絞り出すことを特徴とするティーパックの使用方法。
【請求項８】
茶葉を充填したティーパック本体と、該ティーパック本体を高温水内に浸漬する際に把持する把持片と、これらティーパック本体と把持片を連結する紐とから成るティーパックにおいて、該把持片の略中央部に折曲するための折曲線を予め形成することを特徴とするティーパック。
【請求項９】
ティーパックの把持片を把持し、紐に吊り下げられたティーパック本体を高温水内に浸漬し、茶葉の成分を抽出した後、該ティーパック本体を高温水内から引き上げ、該紐の略中間部を片手で把持すると共に、他方の手で折曲線の入った該把持片を折り曲げつつ該ティーパック本体の前後面をカップ上に吊した状態で横から挟圧して該ティーパック本体の残液を絞り出すことを特徴とするティーパックの使用方法。
【発明の詳細な説明】
【技術分野】
【０００１】
本発明は、ティーパック及びその使用方法に関し、特に、茶葉の成分を抽出した後、容易に抽出成分を含む水分を搾り出せると共に、水切りができるようにしたティーパック及びその使用方法に関するものである。
【背景技術】
【０００２】
従来此種ティーパックは利便性が高いことから、広く一般に普及している。そして、ティーパックに関する発明もなされており、例えば、特許文献１記載のティーパックは、ティーパック本体と糸によって連結された持ち手片がカップ等の入れ物の中に落下しないように持ち手片に両面テープを接着し、使用の際に持ち手片をカップ等の入れ物の外部に接着するようにしたものである。
【０００３】
又、特許文献２には、ティーパックを掬い取り、掬い取ったティーパックを絞るようにしたティーパック絞り器が記載されている。
更に、特許文献３には、フィルターバッグの外包を、使用済みフィルターバッグの受け入れ体として使用できるようにして、外包によって使用済みフィルターバッグからの漏出液の漏れ出しを防止するようにした飲料浸出ユニットが記載されている。
【特許文献１】特開２００１−３３５０６８号公報
【特許文献２】特開２００３−１６９７４０号公報
【特許文献３】特表平８−５０８６６０号公報
【発明の開示】
【発明が解決しようとする課題】
【０００４】
前述した特許文献１記載のティーパックは、持ち手片の落下を防止することができるが、茶葉を抽出した後のティーパックは多量の水分を含んでおり、そのため水分の中に多量の有用な成分を残留しており、又、ティーパックは水滴が落ちる虞があり、更に、そのまま廃棄すると水分の多いゴミとなってしまうという問題があった。
【０００５】
更に又、特許文献２はティーパックを絞ることができるため、ティーパックの水分を絞り出すことが可能であり、水分の中の有用な成分も搾り出すことができる利点がある。
【０００６】
然しながら、特許文献２記載のティーパック絞り器は製作コストが比較的高くなると共に、ティーパックを使用する時にティーパック絞り器も備える必要があり、煩雑である。
【０００７】
更に又、特許文献３は、フィルターバッグの外包を、使用済みフィルターバッグの受け入れ体として使用し、外包によって使用済みフィルターバッグからの漏出液の漏れ出しを防止するものであるが、使用済みフィルターバッグは水分を多量に含んだまま外包に収納されるため、外包から水分が漏出する虞があり、又、水分を多量に含んだまま使用済みフィルターバッグを廃棄することも好ましくない。
【０００８】
以上の現状に鑑み、本発明は、高温水に浸漬して茶葉の成分を抽出したティーパックを、やけどすることなく、又、指を濡らすことなく、指で容易に成分を含む水分を搾り出せると共に、水切りができるようにしたティーパック及びその使用方法を提供することを目的とする。
【課題を解決するための手段】
【０００９】
上記の課題を解決すべく、本発明は以下の構成を提供する。
請求項１に係る発明は、茶葉を装填するため濾紙で上端開放の袋状に形成されたティーパック本体であって、該ティーパック本体内に茶葉を装填し、該ティーパック本体の上端開口部を閉じ、該ティーパック本体の底部から上端に及んで紐を貫通させると共に、該紐の下端部を該ティーパック本体の下端部に係止し、該紐の上端部を、指で把持自在に形成された把持片の略中央部を貫通させ、該紐の上端に該把持片の抜け留めを設けたことを特徴とするティーパックを提供するものである。
【００１０】
請求項２に係る発明は、上記ティーパック本体の底部は、複数枚の濾紙又は厚紙によって補強されていることを特徴とする請求項１記載のティーパックを提供するものである。
【００１１】
請求項３に係る発明は、上記紐の下端部は、上記ティーパック本体の底部の略全長に及んで延びる棒状体の略中央部に結着されて上記ティーパックの底部に係止されることを特徴とする請求項１又は２記載のティーパックを提供するものである。
【００１２】
請求項４に係る発明は、上記把持片は、上記ティーパック本体の前後面全面を略被包自在の大きさに形成されることを特徴とする請求項１，２又は３記載のティーパックを提供するものである。
【００１３】
請求項５に係る発明は、上記把持片は、紙、プラスチック、発泡プラスチック、布、又は、断熱性材料で形成され、更に／又は、遮水処理、又は、遮水性のプラスチックコーティングが施されていることを特徴とする請求項１，２，３又は４記載のティーパックを提供するものである。
【００１４】
請求項６に係る発明は、上記把持片に、該把持片の中心部を折曲して二つ折りにするための折曲線が予め形成されていることを特徴とする請求項１，２，３，４又は５記載のティーパックを提供するものである。
【００１５】
請求項７に係る発明は、請求項１，２，３，４，５又は６記載のティーパックの上記把持片を把持して上記紐に吊下された上記ティーパック本体を高温水内に浸漬し、茶葉の成分を抽出した後、該ティーパック本体を高温水から引き上げ、該紐の上端部を把持し、該把持片を下降させ、該把持片を介して指で該ティーパック本体を下方に押圧し、更に／又は、該把持片を介して指で該ティーパック本体の前後面を挟圧して該ティーパック本体の水分及び成分を絞り出すことを特徴とするティーパックの使用方法を提供するものである。
【００１６】
請求項８に係る発明は、茶葉を充填したティーパック本体と、該ティーパック本体を高温水内に浸漬する際に把持する把持片と、これらティーパック本体と把持片を連結する紐とから成るティーパックにおいて、該把持片の略中央部に折曲するための折曲線を予め形成することを特徴とするティーパックを提供するものである。
【００１７】
請求項９に係る発明は、ティーパックの把持片を把持し、紐に吊り下げられたティーパック本体を高温水内に浸漬し、茶葉の成分を抽出した後、該ティーパック本体を高温水内から引き上げ、該紐の略中間部を片手で把持すると共に、他方の手で折曲線の入った該把持片を折り曲げつつ該ティーパック本体の前後面をカップ上に吊した状態で横から挟圧して該ティーパック本体の残液を絞り出すことを特徴とするティーパックの使用方法を提供するものである。
【発明の効果】
【００１８】
請求項１記載の発明によれば、茶葉を装填するため濾紙で上端開放の袋状に形成されたティーパック本体であって、該ティーパック本体内に茶葉を装填し、該ティーパック本体の上端開口部を閉じ、該ティーパック本体の底部から上端に及んで紐を貫通させると共に、該紐の下端部を該ティーパック本体の下端部に係止し、該紐の上端部を、指で把持自在に形成された把持片の略中央部を貫通させ、該紐の上端に該把持片の抜け留めを設けたティーパックを提供するので、ティーパックを高温水に浸漬して茶葉の成分を抽出した後、ティーパックを高温水から引き上げて、指で容易に、成分を含む水分を搾り出せると共に水切りができる。
【００１９】
請求項２記載の発明によれば、上記ティーパック本体の底部は、複数枚の濾紙又は厚紙によって補強されているので、請求項１記載の発明の効果に加え、複数枚の濾紙又は厚紙によって紐の下端部が強固に係止され、且つ、前述したように把持片を介して指でティーパック本体を押圧してティーパック本体の水分及び成分を搾り出す時に、紐がティーパック本体から外れないようにすると共に、ティーパック本体の底部が破損しないようにすることができる。
【００２０】
請求項３記載の発明によれば、上記紐の下端部は、上記ティーパック本体の底部の略全長に及んで延びる棒状体の略中央部に結着されて上記ティーパックの底部に係止されるので、請求項１又は２記載の発明の効果に加え、該棒状体によって紐の下端部が強固に係止され、且つ、前述したように把持片を介して指でティーパック本体を押圧してティーパック本体の水分及び成分を搾り出す時に、該棒状体によってティーパック本体の底部が略全長に及んで押圧され、ティーパック本体を強い力で効果的に搾ることができると共に、紐によってティーパック本体の底部が破損するという虞がなくなる。
【００２１】
請求項４記載の発明によれば、上記把持片は、上記ティーパック本体の前後面全面を略被包自在の大きさに形成されるので、請求項１，２又は３記載の発明の効果に加え、把持片を介して指でティーパック本体を下方に押圧し易くなり、又、前後面を挟圧し易くなり、ティーパックを効果的に搾ることができると共に、更に、指が濡れることを防止できる。
【００２２】
請求項５記載の発明によれば、上記把持片は、紙、プラスチック、発泡プラスチック、布、又は、断熱性材料で形成され、更に／又は、遮水処理、又は、遮水性のプラスチックコーティングが施されているので、請求項１，２，３又は４記載の発明の効果に加え、把持片を紙、プラスチック、発泡プラスチック又は布で形成する場合は、把持片を容易、且つ、安価に作製でき、把持片を断熱性材料で形成する場合は、指でティーパック本体を押圧又は挟圧する時、指のやけどや過熱を防止することができ、把持片に遮水処理，又は、遮水性のプラスチックコーティングが施されている場合は、指が濡れることを防止することができる。
【００２３】
請求項６記載の発明によれば、上記把持片に、該把持片の中心部を折曲して二つ折りにするための折曲線が予め形成されているので、請求項１，２，３，４又は５記載の発明の効果に加え、把持片の折曲が容易になり、それによって、ティーパック本体の押圧操作、及び、ティーパック本体の挟圧操作が容易になる。
【００２４】
請求項７記載の発明によれば、請求項１，２，３，４，５又は６記載のティーパックの上記把持片を把持して上記紐に吊下された上記ティーパック本体を高温水内に浸漬し、茶葉の成分を抽出した後、該ティーパック本体を高温水から引き上げ、該紐の上端部を把持し、該把持片を下降させ、該把持片を介して指で該ティーパック本体を下方に押圧し、更に／又は、該把持片を介して指で該ティーパック本体の前後面を挟圧して該ティーパック本体の水分及び成分を絞り出すティーパックの使用方法を提供するので、ティーパック本体を高温水から引き上げた時、前記把持片を介して、指で容易に、ティーパック本体から成分を含む水分を搾り出せ水切りができるので、机上や床等へのしずくの落下を防止できる。加えて、指のやけどや過熱、及び、指が濡れることを防止することができる。
また、上記のいずれの実施態様によっても、把持片の下降によりテイーパック本体の所定の場所を挟圧可能である。
【００２５】
請求項８記載の発明によれば、茶葉を充填したティーパック本体と、該ティーパック本体を高温水内に浸漬する際に把持する把持片と、これらティーパック本体と把持片を連結する紐とから成るティーパックにおいて、該把持片の略中央部に折曲するための折曲線を予め形成することを特徴とするティーパックを提供するので、製作に於けるコストダウンと使用時の簡易化が達成可能である。
尚、把持片が図９の例によればハート形であるが、この形状に限定されないことはもとよりであり、これを代表例としたのは、ハート上部のV字部の構成により折曲線に沿っての折曲が極めて容易であり、デザイン性も兼備することとなる。
【００２６】
請求項９記載の発明によれば、ティーパックの把持片を把持し、紐に吊り下げられたティーパック本体を高温水内に浸漬し、茶葉の成分を抽出した後、該ティーパック本体を高温水内から引き上げ、該紐の略中間部を片手で把持すると共に、他方の手で折曲線の入った該把持片を折り曲げつつ該ティーパック本体の前後面をカップ上に吊した状態で横から挟圧して該ティーパック本体の残液を絞り出すことを特徴とするティーパックの使用方法を提供するので、上記の手段と異なり、該把持片を紐に沿って下降させること無く、手軽に挟圧し、残液を搾り出すことができる。因みに、上記の場合でも同様であるが、残液を徹底的に搾り出すこと不要で、机上や床等に滴が落下しない適度に搾られれば十分である。
【発明を実施するための最良の形態】
【００２７】
以下、実施例を示した図面を参照しつつ本発明の実施の形態を説明する。
図１に於いて、１は本発明の第１の実施態様のティーパックであり、ティーパック１は、茶葉２を装填するため濾紙で上端開放の袋状に形成されたティーパック本体３内に茶葉２を装填し、ティーパック本体３の上端開口部を閉じ、ティーパック本体３の底部から上端に及んで紐４を貫通させると共に、紐４の下端部をティーパック本体３の下端部に結び目５等で係止し、紐４の上端部を、図２に示す如く、指６，６で把持自在に形成された把持片７の略中央部を貫通させ、紐４の上端に結び目等の把持片７の抜け留め８を設けたものである。
【００２８】
そして、前記ティーパック本体３の底部は複数枚の濾紙又は厚紙９によって補強され、前記紐４が結び目５等により強固に係止されていると共に、紐４が引張された場合もティーパック本体３の底部が紐４によって破れないように構成されている。
【００２９】
又、前記把持片７は紙、プラスチック、或いは、発泡プラスチック又は布等の断熱性材料で形成されている。
更に、前記把持片７の少なくとも一面（前面又は後面）は例えば遮水性のプラスチックコーティング等の遮水処理が施されている。
【００３０】
更に又、前記把持片７には把持片７の中心部を折曲して二つ折りにするための折曲線１０が予め形成されている。
而して、把持片７を一方の手の指６，６で把持して把持片７から紐４で吊下したティーパック本体３をティーカップ１１内の高温水１２内に浸漬し、茶葉２の成分を抽出した後、把持片７を上昇させてティーパック本体３を高温水１２上方に引き上げ、図３に示す如く、紐４の上端を他方の手の指１３，１３で把持し、紐４の上端位置を指１３，１３で固定した状態で、把持片７を折曲線１０で折曲して指６，６で把持片７を図中矢印Ａで示す如く押し下げ、図４に示す如く、把持片７でティーパック本体３の上部を把持して把持片７を更に矢印Ａ方向に下方に押圧すると、ティーパック本体３の底部中心部は紐４の下端部によって位置が固定されているため、ティーパック本体３が圧縮されてティーパック本体３内の抽出された成分を含む水分が搾り出されると共に、水切りされる。又、前記把持片７を介して、ティーパック本体３の前後面を挟圧すれば、ティーパック本体３が更に圧縮されてティーパック本体３内の抽出された成分を含む水分が搾り出されると共に、水切りされる。
【００３１】
斯くして、前記ティーパック１は、高温水１２に浸漬して茶葉２の成分を抽出したティーパック本体３を、高温水１２から引き上げた後、把持片７を介して指６，６で押圧して、又は、挟圧して、容易に、抽出成分を含む水分を搾り出せると共に、水切りができる。
【００３２】
これにより抽出成分を無駄なく回収できると共に、水切りによりティーパック本体３から水分の滴下がなくなり、ティーパック本体３の扱いが容易になり、又、ティーパック１を水分の少ないゴミとして廃棄することができる。
【００３３】
又、前記ティーパック本体３の底部は複数枚の濾紙又は厚紙９によって補強されているので、紐４の下端部が強固に係止され、前述したように把持片７を介して指６，６でティーパック本体３を押圧してティーパック本体３の水分を搾り出す時に、紐４の下端部がティーパック本体３の底部から外れることはなく、又、ティーパック本体３の底部が破損することもない。
【００３４】
更に、前記把持片７は断熱性材料で形成されているので、把持片７を介し指６，６でティーパック本体３を押圧する時、或いは、ティーパック本体３の上部を把持する時、やけどや過熱を防止することができる。
【００３５】
更に又、前記把持片７は紙、プラスチック又は布で形成されるので、把持片７を容易、且つ、安価に作製できる。
そして、前記把持片７を発泡プラスチックで形成すれば、高い断熱性能が期待できる。
【００３６】
又、前記把持片７は遮水処理が施されているので、把持片７を介して指６，６によってティーパック本体３を押圧する時、指６，６を濡らすことがない。
【００３７】
特に、把持片７に遮水性のプラスチックコーティングを施したものを用いる場合は、遮水性能を備えた把持片を安価、且つ、容易に得ることができる。
更に又、把持片７に把持片７の中心部を折曲して二つ折りにするための折曲線が予め形成されているので、把持片７の折曲が容易になり、且つ、ティーパック本体３の押圧操作、及び、ティーパック本体の把持操作が容易になる。
【００３８】
図５は、本発明の第２の実施態様であるティーパック２１を示し、ティーパック２１は、第１の実施態様である前記ティーパック（図１に於いて１）の紐４の下端部に棒状体２２を結着したものである。
【００３９】
そして、棒状体２２は、ティーパック本体３の底部の略全長に及んで延び、紐４は棒状体２２の略中央部に結着される。
而して、図６に示す如く、ティーパック２１を前記ティーパック（図１に於いて１）の場合と同様に紐４の上端位置を指１３，１３で固定した状態で、把持片７を折曲線１０で折曲して指６，６で把持片７を押し下げ、把持片７でティーパック本体３の上部を把持して更に把持片７を矢印Ａの如く下方に押し下げると、ティーパック本体３の底部は略底部全長に及んで棒状体２２に保持されるため、ティーパック本体３を強い力で効果的に搾ることができると共に、ティーパック本体３の底部が破損する虞がない。又、前記把持片７を介して、ティーパック本体３の前後面を挟圧すれば、ティーパック本体３が更に圧縮されてティーパック本体３内の抽出された成分を含む水分が搾り出されると共に、水切りされる。
【００４０】
図７は、本発明の第３の実施態様であるティーパック３１を示し、ティーパック３１は、第１の実施態様である前記ティーパック（図１に於いて１）の把持片（図１に於いて６）に代えてティーパック本体３の前後面全面を略被包自在の大きさに形成した把持片３２を設けたものである。そして、把持片３２は前記把持片（図１に於いて６）と同材料で形成され、且つ、把持片３２にも前記把持片（図１に於いて６）に設けられた折曲線（図１に於いて８）と同様の折曲線３３が設けられている。
【００４１】
而して、図８に示す如く、ティーパック３１を前記ティーパック（図１に於いて１）の如く、紐４の上端位置を指１３，１３で固定した状態で、把持片３２を折曲線３３で折曲して指６，６で把持片３２を図中矢印Ａで示す如く押し下げ、把持片３２でティーパック本体３を把持して更に把持片７を下方に押し下げ、又、ティーパック本体３の前後面を図中矢印Ｂ，Ｂで示す如く把持片３２を介して指６，６で挟圧してティーパック本体３の水分を搾り出す。
【００４２】
斯くして、前記ティーパック３１は、把持片３２がティーパック本体３の前後面全面を略被包する大きさであるので、把持片３２を介して指６，６でティーパック本体３を下方に押圧して、又、ティーパック本体３の前後面を挟圧して、ティーパック本体３を容易、且つ、効果的に搾ることができると共に、指６，６が前記把持片（図１に於いて７）よりも更に濡れにくいという利点がある。
【００４３】
尚、テイーパック本体３の底部に厚紙や棒状体を用いなくともよい場合として、テイーパック本体３が破損しにくい材質のものである場合は、そのまま底部に紐４を結着してもよい。また、底部のみを他部より強靱にする構成でもよい。
【００４４】
更に、他の実施例として、図９に示すように、従来品の把持片を改良することによっても簡易手法として目的を達成することができる。すなわち、折曲線を把持片の略中央部に予め形成する。この折曲線は、該把持片が容易に折り曲げられる程度に構成することが望ましい。この実施例は、上記の実施例より手軽になし得、製法コストも安いという効果がある。
本実施例の場合、テイーパック本体を高温水に浸した後、片手で紐の略中間を持ち、他方の手で図１０の如く横からテイーパック本体を摘むことにより残液を絞り出すことができる。    
【図面の簡単な説明】
【００４５】
【図１】本発明の第１の実施態様のティーパックの斜視図である。
【図２】図１に示すティーパックを高温水に浸漬して抽出する状態を示す斜視図である。
【図３】図１に示すティーパックの把持片を押し下げている状態を示す斜視図である。
【図４】図１に示すティーパック本体を押圧して搾っている状態を示す斜視図である。
【図５】本発明の第２の実施態様のティーパックの斜視図である。
【図６】図５に示すティーパック本体を押圧して搾っている状態を示す斜視図である。
【図７】本発明の第３の実施態様のティーパックの斜視図である。
【図８】図７に示すティーパック本体を挟圧して搾っている状態を示す斜視図である。
【図９】本発明の第４実施態様のテイーパック概略図である。
【図１０】図９に示すテイーパック本体を吊り状態の横から挟圧している状態を示す概略図である。
【符号の説明】
【００４６】
１，２１，３１,  ４１  ティーパック
２  茶葉
３  ティーパック本体
４  紐
６，１３  指
７，３２,４２  把持片
８  抜け留め
９  厚紙
１０，３３,４３  折曲線
１２  高温水
２２  棒状体
【図１】
2005206256.tif 000003
【図２】
2005206256.tif 000004
【図３】
2005206256.tif 000005
【図４】
2005206256.tif 000006
【図５】
2005206256.tif 000007
【図６】
2005206256.tif 000008
【図７】
2005206256.tif 000009
【図８】
2005206256.tif 000010
【図９】
2005206256.tif 000011
【図１０】
2005206256.tif 000012